(57)【要約】【課題】遮光作用に加えて、目の毛細血管の血流を良くして目の緊張や疲労を和らげる作用を発揮し、快眠することができる画期的なアイマスクを提供する。【解決手段】表地１ａとゲルマニウム粉粒を含む裏地１ｂを重ね合わせてアイマスク本体１を形成し、その両端に装着用ベルト２を取付けたアイマスクＥ１とする。表地１ａには布帛等が、裏地１ｂにはゲルマニウム粉粒を練り込んだ再生繊維のニット等が使用される。このニットからなる裏地１ｂは柔軟で肌触りが良く、裏地１ｂと表地１ａによって充分な遮光作用が発揮されると共に、裏地１ｂの再生繊維に含まれるゲルマニウム粉粒によって目の毛細血管の血流が良くなり、目の筋肉の緊張や疲労が和らげられるので、ぐっすり眠れて気持ち良く起きられるようになる。また、ゲルマニウム粉粒は人の体温でマイナスイオンを発生させるため、このマイナスイオンの作用も加わって快眠できるようになる。【選択図】図１
0003127665.tif 000002
【実用新案登録請求の範囲】
【請求項１】
表地とゲルマニウム粉粒を含む裏地を重ね合わせて、両目を覆うアイマスク本体を形成したことを特徴とするアイマスク。
【請求項２】
布帛からなる表地とゲルマニウム粉粒を練り込んだ再生繊維のニットからなる裏地を重ね合わせて、両目を覆うアイマスク本体を形成したことを特徴とするアイマスク。
【請求項３】
布帛からなる表地とゲルマニウム粉粒を練り込んだ再生繊維のニットからなる複数枚の裏地を重ね合わせて、両目を覆うアイマスク本体を形成し、このアイマスク本体の両端に装着用ベルトを取付けたことを特徴とするアイマスク。
【考案の詳細な説明】
【技術分野】
【０００１】
本考案は、目の緊張や疲労を和らげることができるアイマスクに関する。
【背景技術】
【０００２】
近年、明るい場所で眠るようなときに、アイマスクで目を覆う人が増えてきた。このようにアイマスクを装着すると、アイマスクの遮光作用で目に対する光の刺激が減少するため、ぐっすりと眠れるようになる。
【０００３】
しかしながら、これまでに開発、市販されているアイマスクは、単なる遮光作用を発揮するだけのものであり、目の緊張や疲労を和らげる作用を発揮するアイマスクは未だ開発されてなく、そのようなアイマスクに関する特許文献についても本出願人は知らない。
【考案の開示】
【考案が解決しようとする課題】
【０００４】
本考案は上記事情の下になされたもので、その解決しようとする課題は、遮光作用に加えて、目の毛細血管の血流を良くして目の緊張や疲労を和らげる作用を発揮し、快眠することができる画期的なアイマスクを提供することにある。
【課題を解決するための手段】
【０００５】
上記の課題を解決するため、本考案の請求項１に係るアイマスクは、表地とゲルマニウム粉粒を含む裏地を重ね合わせて、両目を覆うアイマスク本体を形成したことを特徴とするものである。
【０００６】
そして、本考案の請求項２に係る好ましいアイマスクは、布帛からなる表地とゲルマニウム粉粒を練り込んだ再生繊維のニットからなる裏地を重ね合わせて、両目を覆うアイマスク本体を形成したことを特徴とするものである。
【０００７】
また、本考案の請求項３に係るより具体的な好ましいアイマスクは、布帛からなる表地とゲルマニウム粉粒を練り込んだ再生繊維のニットからなる複数枚の裏地を重ね合わせて、両目を覆うアイマスク本体を形成し、このアイマスク本体の両端に装着用ベルトを取付けたことを特徴とするものである。
【考案の効果】
【０００８】
本考案の請求項１に係るアイマスクを顔面に装着して、そのアイマスク本体で両目を覆うと、アイマスク本体の表地と裏地によって遮光作用が発揮されると共に、裏地に含まれるゲルマニウム粉粒によって目の毛細血管の血流が良くなり、毛様体筋などの目の筋肉の緊張や疲労が和らげられるため、ぐっすり眠れて気持ち良く起きられるようになる。しかも、ゲルマニウム粉粒は人の体温でマイナスイオンを発生させるため、このマイナスイオンの作用も加わって快眠できるようになる。
【０００９】
そして、本考案の請求項２に係るアイマスクのように、両目を覆うアイマスク本体が、布帛からなる表地とゲルマニウム粉粒を練り込んだ再生繊維のニットからなる裏地を重ね合わせたものであると、裏地のニットが柔軟で肌触りが良いため、顔面に装着したときの違和感がなくなり、一層、快眠できるようになる。
【００１０】
更に、本考案の請求項３に係るアイマスクのように、両目を覆うアイマスク本体が上記表地と複数枚の上記裏地を重ね合わせたものであって、その両端に装着用ベルトが取付けられたものであると、複数枚の裏地によって遮光性が更に向上すると共に、裏地による柔軟な感触が増して肌触りが更に良くなるため、一層、快眠できるようになり、また、装着用ベルトでアイマスク本体を簡単に装着できるようになる。
【考案を実施するための最良の形態】
【００１１】
以下、図面を参照して本考案の具体的な実施形態を詳述する。
【００１２】
図１は本考案の一実施形態に係るアイマスクの正面図、図２は同アイマスクの背面図、図３は同アイマスクのアイマスク本体の拡大部分断面図である。
【００１３】
このアイマスクＥ１は、図１，図２に示すように、両目を覆うアイマスク本体１の両端に、装着用ベルト２の両端が縫い付けられたものである。アイマスク本体１は、図３に示すように、一枚の表地１ａとゲルマニウム粉粒を含んだ二枚の裏地１ｂ，１ｂを重ね合わせて形成されたものであって、その周囲が縁取りされている。
【００１４】
アイマスク本体１の表地１ａとしては、柔軟性と遮光性を有する布帛や合成樹脂フィルムなどが使用されるが、その中でも、図柄、模様などをプリントした美麗な綿の布帛が好ましく使用される。
【００１５】
また、裏地１ｂとしては、有効量のゲルマニウム粉粒を含んだ柔軟な織布、不織布、編物などが使用されるが、その中でも、有効量のゲルマニウム粉粒を含んだレーヨンなどの再生繊維のニットは、柔軟性に富み、肌触りが良好で、違和感が少ないため、特に好ましく使用される。
【００１６】
裏地１ｂの枚数は１枚でもよいが、この実施形態のように２枚の裏地１ｂ，１ｂが重ね合わされていると、２枚の裏地１ｂ，１ｂによって遮光性が更に向上すると共に、柔軟な感触が増して肌触りが更に良くなり、一層快眠できるようになるので好ましい。尚、この裏地１ｂは３枚以上重ね合わせても勿論良いが、コストを考慮すると、この実施形態のように２枚重ね合わせるのがベストである。
【００１７】
このアイマスク本体１の両端に縫い付けられる装着用ベルト２としては、伸縮自在なゴムベルトが好ましく使用され、また、後述するマジックテープ（商標名）やアジャスターを設けた装着用ベルトなども好ましく使用される。
【００１８】
以上のような構成のアイマスクＥ１は、そのアイマスク本体１を顔面に当てて両目を覆い、伸縮自在なゴムベルトからなる装着用ベルト２を頭部に巻き付けることによって、位置ずれが生じないように顔面に装着されて使用される。このようにアイマスク本体１で両目を覆うと、ゲルマニウム粉粒を含んだ再生繊維のニットからなる２枚の裏地１ｂ，１ｂが柔軟で肌触りが良く、この２枚の裏地１ｂ，１ｂと表地１ａによって充分な遮光作用が発揮されると共に、裏地１ｂ，１ｂに含まれる有効量のゲルマニウム粉粒によって目の毛細血管の血流が良くなり、毛様体筋などの目の筋肉の緊張や疲労が和らげられるため、ぐっすり眠れて気持ち良く起きられるようになる。しかも、ゲルマニウム粉粒は人の体温でマイナスイオンを発生させるため、このマイナスイオンの作用も加わって快眠できるようになる。
【００１９】
図４は本考案の他の実施形態に係るアイマスクの正面図である。
【００２０】
このアイマスクＥ２は、アイマスク本体１の両端に、装着用ベルトとして、伸縮性のない繊維製の短ベルト２ａと長ベルト２ｂの端部を縫い付け、双方のベルト２ａ，２ｂの先端部に、マジックテープ（商標名）のフック状テープ２ｃとパイル状テープ２ｄを縫い付けたものである。アイマスク本体１の構成は、前述したアイマスク本体１のそれと同様であるので、説明を省略する。
【００２１】
このようなアイマスクＥ２は、そのアイマスク本体１によって前記と同様の作用効果を奏すると共に、短ベルト２ａのフック状テープ２ｃと長ベルト２ｂのパイル状テープ２ｄを重ねて係合させることにより、頭部のサイズに合わせてワンタッチで装着できる利点がある。
【００２２】
図５は本考案の更に他の実施形態に係るアイマスクの正面図である。
【００２３】
このアイマスクＥ３は、アイマスク本体１の両端に、装着用ベルトとして、伸縮性のない繊維製の短ベルト２ａと長ベルト２ｂの端部を縫い付け、短ベルト２ａの先端部にアジャスター２ｅを取り付けたものである。アイマスク本体１の構成は、前述したアイマスク本体１のそれと同様であるので、説明を省略する。
【００２４】
このようなアイマスクＥ３は、そのアイマスク本体１によって前記と同様の作用効果を奏すると共に、長ベルト２ｂの先端部分を短ベルト２ａのアジャスター２ｅに絡めて通すことにより、頭部のサイズに合わせて簡単に装着できる利点がある。
【図面の簡単な説明】
【００２５】
【図１】本考案の一実施形態に係るアイマスクの正面図である。
【図２】同アイマスクの背面図である。
【図３】同アイマスクのアイマスク本体の拡大部分断面図である。
【図４】本考案の他の実施形態に係るアイマスクの正面図である。
【図５】本考案の更に他の実施形態に係るアイマスクの正面図である。
【符号の説明】
【００２６】
１    アイマスク本体
１ａ  表地
１ｂ  裏地
２    装着用ベルト（伸縮自在なゴムベルト）
２ａ  短ベルト
２ｂ  長ベルト
２ｃ  フック状テープ
２ｄ  パイル状テープ
２ｅ  アジャスター
Ｅ１，Ｅ２，Ｅ３  アイマスク
【図１】
0003127665.tif 000003
【図２】
0003127665.tif 000004
【図３】
0003127665.tif 000005
【図４】
0003127665.tif 000006
【図５】
0003127665.tif 000007